(57)【要約】【課題】輸送や移動時の、水槽の固定を容易にし、軽量なドラム式洗濯機を提供する。【解決手段】水槽３の背面に固定された軸受６８で軸支された回転ドラム２と、回転ドラム２を回転駆動するドラム駆動モータ７からなる水槽ユニット５を、上部支持金具７５と、軸受６８に固定された背面下部支持金具５１を備え、洗濯機筐体６の背面と、着脱自在の上部固定金具８３を介して上部支持金具７５及び着脱自在の下部固定金具５４を介して背面下部支持金具５１とをそれぞれネジ固定できるようにし、下部固定金具５４の取り付け部の背面下部金具４０は、規制部４１ｂが洗濯機筐体６の基底部６ａを形成する支持台７３に対して前後左右に規制されているため、運送時に上記ネジ固定され、移動の際に大きな振動や衝撃を受けても、筐体の板厚を厚くすることなく、軽量で可搬性に優れたドラム式洗濯機が得られる。【選択図】図１
2006068054.tif 000002
【特許請求の範囲】
【請求項１】
基底部に支持台を備えた洗濯機筐体内に水槽ユニットを配し、前記水槽ユニットは、水槽と、前記水槽の背面に固定された軸受で回転自在に軸支された回転ドラムと、前記回転ドラムを回転駆動するドラム駆動モータからなり、前記水槽ユニットの背面側上部に固定された上部支持金具と、前記水槽ユニットの背面側下部に固定された背面下部支持金具と、洗濯機筐体の上部背面と前記上部支持金具をネジ固定できるようにしにした着脱自在の上部固定金具と、前記洗濯機筐体の背面下部に取り付けた背面下部金具と前記背面下部支持金具をネジ固定できるようにした着脱自在の下部固定金具とを備え、前記背面下部金具には前記支持台に対して前後左右の方向への動きを規制する規制部を設けたことを特徴とするドラム式洗濯機。
【請求項２】
規制部は、背面下部金具の下端部を洗濯機筐体内方に折り曲げ、その先端の一部を下方向に曲げるとともに、支持台に設けた溝部に挿入するようにしたことを特徴とする請求項１記載のドラム式洗濯機。
【発明の詳細な説明】
【技術分野】
【０００１】
本発明は、回転ドラムを収容した水槽を筐体内にサスペンション構造によって支持することにより回転ドラムの回転に伴う振動を抑制する制振構造を備えたドラム式洗濯機に関するものである。
【背景技術】
【０００２】
ドラム式洗濯機では、回転ドラムを、その回転軸方向を水平方向あるいは水平方向から前上がりに傾斜させて収容した水槽が筐体内に配設されているため、洗濯物や給水された水が下方に偏りがちとなり、回転ドラムの回転に伴う振動が発生しやすくなる。特に、回転ドラムを高速で回転させる脱水時に、洗濯物が一方に偏った状態になっていると大きな振動が発生する。このような振動が洗濯機筐体に伝わることを防止するために、回転ドラムを収容した水槽は、防振ダンパーにより洗濯機筐体内に重量支持され、スプリング部材により吊り下げ支持されている。
【０００３】
このように回転ドラムを収容した水槽が、洗濯機筐体内に浮動支持された状態にあると、工場からの出荷時や家庭への納入時等の移動において、振動や衝撃を受けると、水槽は洗濯機筐体内で非常に不安定な状態になる。また、水槽内に収容された回転ドラムは金属製で重量も大きく回転軸が一方端に取り付けられた片支持構造であるため、振動や衝撃により回転軸やドラムに変形が生じる恐れがある。
【０００４】
そこで、ドラム式洗濯機を設置場所に設置するまでの移動時に、水槽を洗濯機筐体に固定して、振動や衝撃により水槽が洗濯機筐体内でその位置が移動しないようにしたドラム式洗濯機が知られている（例えば、特許文献１参照）。
【特許文献１】特開平１０−２６３２７６号公報
【発明の開示】
【発明が解決しようとする課題】
【０００５】
しかしながら、上記特許文献１に開示されたような従来技術に係る水槽の移動時の固定構造は、必要に応じて洗濯機筐体の背面に形成された複数の穴にそれぞれ固定部材を装着して洗濯機筐体の背面と水槽との間をネジ固定することができる。
【０００６】
しかし、振動や衝撃によりそれぞれ固定部材に加わる荷重が大きいため、ネジ固定された洗濯機筐体の背面に加わる荷重も大きくなり、筐体の変形等が起こりやすい。このため、洗濯機筐体の背面の強度を確保するために背面部材の板厚を厚くするとともに、筐体の背面の取り付け部分の強度も確保する必要があり、筐体の底面部の強度を上げる必要があった。このような洗濯機の筐体構造にすると、洗濯機全体が重くなり、可搬性が悪いといった課題があった。
【０００７】
本発明は、前記従来の課題を解決するもので、必要に応じて水槽を洗濯機筐体に固定できるようにした構造であっても、洗濯機筐体構成する部品の板厚を厚くすることなく軽量で可搬性に優れたドラム式洗濯機を提供することを目的とする。
【課題を解決するための手段】
【０００８】
上記従来の課題を解決するために、本発明のドラム式洗濯機は、基底部に支持台を備えた洗濯機筐体内に水槽ユニットを配し、前記水槽ユニットは、水槽と、前記水槽の背面に固定された軸受で回転自在に軸支された回転ドラムと、前記回転ドラムを回転駆動するドラム駆動モータからなり、前記水槽ユニットの背面側上部に固定された上部支持金具と、前記水槽ユニットの背面側下部に固定された背面下部支持金具と、洗濯機筐体の上部背面と前記上部支持金具をネジ固定できるようにしにした着脱自在の上部固定金具と、前記洗濯機筐体の背面下部に取り付けた背面下部金具と前記背面下部支持金具をネジ固定できるようにした着脱自在の下部固定金具とを備え、前記背面下部金具には前記支持台に対して前後左右の方向への動きを規制する規制部を設けたもので、ドラム式洗濯機の移動の際に大きな振動や衝撃を受けても、下部固定金具が固定されている背面下部金具は、規制部によって支持台の前後左右の方向への動きを規制されており、筐体が支持台からズレたりしての筐体の変形や損傷が生じることがない。このため、洗濯機筐体構成する部品の板厚を厚くする必要がなく、軽量な洗濯機を構成することができる。
【発明の効果】
【０００９】
本発明によれば、必要に応じて水槽を洗濯機筐体に固定できるようにした構造であっても、洗濯機筐体構成する部品の板厚を厚くすることなく、軽量で可搬性に優れ、移動に伴う振動や衝撃によって筐体に変形や損傷が発生することが防止できる。
【発明を実施するための最良の形態】
【００１０】
第１の発明は、基底部に支持台を備えた洗濯機筐体内に水槽ユニットを配し、前記水槽ユニットは、水槽と、前記水槽の背面に固定された軸受で回転自在に軸支された回転ドラムと、前記回転ドラムを回転駆動するドラム駆動モータからなり、前記水槽ユニットの背面側上部に固定された上部支持金具と、前記水槽ユニットの背面側下部に固定された背面下部支持金具と、洗濯機筐体の上部背面と前記上部支持金具をネジ固定できるようにしにした着脱自在の上部固定金具と、前記洗濯機筐体の背面下部に取り付けた背面下部金具と前記背面下部支持金具をネジ固定できるようにした着脱自在の下部固定金具とを備え、前記背面下部金具には前記支持台に対して前後左右の方向への動きを規制する規制部を設けたもので、ドラム式洗濯機の移動の際に大きな振動や衝撃を受けても、下部固定金具が固定されている背面下部金具は、規制部によって支持台の前後左右の方向への動きを規制されており、筐体が支持台からズレたりしての筐体の変形や損傷が生じることがない。このため、洗濯機筐体構成する部品の板厚を厚くする必要がなく軽量な洗濯機を構成することができる。
【００１１】
第２の発明は、特に、第１の発明の規制部は、背面下部金具の下端部を洗濯機筐体内方に折り曲げ、その先端の一部を下方向に曲げるとともに、支持台に設けた溝部に挿入するようにしたもので、規制部による背面下部金具の前後左右の方向への動きの規制をより確実なものにすることができる。
【００１２】
以下本発明の実施の形態について、図面を参照しながら説明する。なお、この実施の形態によって本発明が限定されるものではない。
【００１３】
（実施の形態１）
図１は、本発明の第１の実施の形態におけるドラム式洗濯機の概略断面図、図２は、同ドラム式洗濯機の要部拡大断面図、図３は、同ドラム式洗濯機の要部断面図である。
【００１４】
図１は、本実施の形態に係るドラム式洗濯機１において、ドラム式洗濯機１を移動させる際の水槽ユニット５の支持構造を示すものである。前記水槽ユニット５は、有底円筒形で樹脂製の水槽３内に有底円筒形状の回転ドラム２を収容し、回転ドラム２の回転軸２ａを水槽３の背面に設けられた軸受６８で軸支すると共に回転軸２ａにドラム駆動モータ７を連結して構成されている。軸受６８には、背面下部支持金具５１が取り付けられている。
【００１５】
この水槽ユニット５は、洗濯機筐体６内に前上がりの状態に傾斜させて配設され、水槽３の下部に固定された下部支持金具７４と洗濯機筐体６の基底部６ａに固定された支持台７３との間に左右一対の防振ダンパー７０を配することによって、水槽ユニット５の重量が支持されている。
【００１６】
水槽ユニット５は、その背面側に軸受６８やドラム駆動モータ７などの重量の大きな構成要素が取り付けられているため、重心位置は背面寄りにあり、防振ダンパー７０は水槽ユニット５を、その重心位置より正面側寄りの下方で支持しているので、水槽ユニット５は背面側に倒れる状態にあり、これを補正するために、水槽３の上部に複数本のネジ９８で広範囲にわたって固定された金属製の上部支持金具（水槽補強金具）７５と洗濯機筐体６の上面との間に付勢手段となる第１のコイルバネ７１が架設され、水槽ユニット５を正面側及び上方側に向けて引っ張り付勢している。
【００１７】
また、水槽ユニット５の背面下部に軸受６８を介して取り付けられた背面下部支持金具５１と洗濯機筐体６の背面下部との間に第２の付勢手段となる第２のコイルバネ７２を架設している。この背面下部支持金具５１における第２のコイルバネ７２の付勢位置５１ａは、下部支持金具７４における防振ダンパー７０の支持位置７４ａより下方に位置している。これにより、水槽ユニット５が背面側に倒れる状態はより確実に補正される。
【００１８】
回転ドラム２は、その回転軸方向が図示するように開口する正面側から背面側に向けて下向きに傾斜配置されているため、洗濯機筐体６の正面側に形成された傾斜面６ｂに開閉自在に設けられた扉体９を開くと、回転ドラム２に対する洗濯物の出し入れする作業に際して腰を屈める具合が少なくてすみ、ドラム式洗濯機１の正面側に余裕のある空間を確保する必要もないので、洗面所などの狭い空間にも設置可能なドラム式洗濯機１に構成することができる。
【００１９】
上記構成により、水槽ユニット５は、その重量が防振ダンパー７０によって支持され、重心より正面寄りの位置で支持されることにより背面側に倒れる状態は、第１のコイルバネ７１により弾性的に阻止され、更に第２のコイルバネ７２で補助することにより、水槽ユニット５は所定位置に保持される。また、防振ダンパー７０及び第１、第２の各コイルバネ７１、７２により弾性支持されているため、回転ドラム２の回転に伴う振動が洗濯機筐体６に伝わることが確実に抑制される。
【００２０】
上記構成によるドラム式洗濯機１は、洗濯機筐体６の正面側に設けられた扉体９を開いて回転ドラム２内に洗濯物を投入して運転を開始させることにより、給水部１２から水槽３内に洗濯物の量に対応する水位まで給水がなされ、ドラム駆動モータ７により回転ドラム２が回転駆動されて洗濯工程、すすぎ工程、脱水工程が順次実行される。
【００２１】
上記構成になるドラム式洗濯機１は、前述したように洗濯機筐体６内に水槽ユニット５を浮動支持しているため、生産現場から倉庫や販売店に輸送したり、販売店から家庭などの設置場所に輸送したり、更には引越しなどによって設置場所を移動する際に、大きな振動や衝撃が加わった場合や、転倒させたり間違った角度に積載された場合に、水槽ユニット５に損傷が生じる恐れがある。
【００２２】
特に、回転ドラム２は金属製で重量も大きく、その回転軸２ａが有底円筒形の背面に取り付けられた片支持状態にあるため、大きな衝撃により回転軸２ａに変形が生じる恐れがある。そこで、ドラム式洗濯機１を移動させる際には水槽ユニット５の浮動状態を拘束し、水槽ユニット５が洗濯機筐体６内で位置移動しないように拘束する拘束構造を設ける必要がある。拘束構造は水槽ユニット５の拘束及び拘束の解除を行う作業が容易に行い得るようにすることが要求される。
【００２３】
以下に、本実施の形態におけるドラム式洗濯機の水槽ユニット５の拘束構造の詳細について述べる。
【００２４】
図１、図２、図３に示すように、樹脂製の水槽３の上部に複数本のボス３ａを広範囲にわたって設け、その複数本のボス３ａに複数本のネジ９８を締め付けることにより固定された金属製の上部支持金具７５に、その一部を切り起こして水槽固定部９７を形成し、この水槽固定部９７の洗濯機筐体６の背面と平行に形成した上部連結部９７ａにネジ穴９７ｂを設けると共に、洗濯機筐体６の背面上部に短冊状板材をロの字状に折り曲げ形成した上部固定金具８３が着脱自在に取り付けられ、洗濯機筐体６の背面側から上部固定金具８３に上部固定ボルト８６を貫通させている。
【００２５】
また、軸受６８の下部に固定された金属製の背面下部支持金具５１にその先端部を曲げた軸受固定部５３を形成し、洗濯機筐体６の背面と平行に形成した下部連結部５３ａにネジ穴５３ｂを設けると共に、洗濯機筐体６の背面下部に筒状の下部固定金具５４が着脱自在に取り付けられ、洗濯機筐体６の背面側から下部固定金具５４に下部固定ボルト５５を貫通させている。
【００２６】
この洗濯機筐体６の背面下部には、背面下部金具４０が取り付けられてあり、その背面下部金具４０には、筐体６の内面側に延伸し下方向に曲げられた規制部４１ａ、４１ｂが一体に設けてあり、支持台７３の溝部７３ａにその一部が挿入されており、筐体の前後方向には支持台７３のリブ部７３ｂにより規制部４１ａ、４１ｂが規制され、筐体の左右方向には規制部４１ｂが支持台７３の溝部７３ａにより規制される。
【００２７】
ドラム式洗濯機１の移動に際し水槽ユニット５を拘束する時には、上部固定ボルト８６を回転させながら進出させると、その先端が上部連結部９７ａに設けられたネジ穴９７ｂに螺入して上部連結部９７ａが上部固定金具８３に密着する。同様に、下部固定ボルト５５を回転させながら進出させると、その先端部が下部連結部５３ａに設けられたネジ穴５３ｂに螺入して下部連結部５３ａが下部固定金具５４に密着する。
【００２８】
このようにして、水槽ユニット５は、洗濯機筐体６の背面に固定され、水槽ユニット５の浮動状態は拘束される。
【００２９】
水槽ユニット５の拘束状態を解除するときには、上部固定ボルト８６と下部固定ボルト５５をネジ穴９７ｂとネジ穴５３ｂから抜け出る方向に回転させると、上部固定ボルト８６と下部固定ボルト５５がネジ穴９７ｂとネジ穴５３ｂから抜け出したとき水槽固定部９７が上部固定金具８３から、軸受固定部５３が下部固定金具５４からそれぞれ離れて水槽ユニット５の拘束は解除され、その後、上部固定金具８３と下部固定金具５４を洗濯機筐体６の背面から取り外す。
【００３０】
金属製の背面下部支持金具５１は、軸受６８に固定されているので、軸受６８やドラム駆動モータ７などの重量の大きな構成要素を支持し、水槽ユニット５の前後左右方向の荷重や衝撃を受けるため、下部固定金具５４に加わる荷重により、筐体背面部にも大きな荷重が加えられるが、背面下部金具４０の規制部４１ａ、４１ｂが支持台７３の溝部７３ａにより規制されるため筐体にはほとんど荷重が加わらない。このため、筐体の板厚を厚くする必要がないため、ドラム式洗濯機の質量は重くならず、移動時等の可搬性に優れたものとすることができる。
【００３１】
一方、金属製の上部支持金具７５は、樹脂製の水槽３の上部に複数本のネジ９８で広範囲にわたって固定されているので、ドラム式洗濯機１を移動させる際に、上部固定金具８３を介して、上部支持金具７５に力がかかったとしても、上部支持金具７５は金属製であるため破損することはなく、また、水槽３にかかる応力集中を小さくすることができ、樹脂製の水槽３も破損することがないため、ドラム式洗濯機１の移動時の強度を確保することができる。
【００３２】
また、拘束構造を左右２箇所以上に形成すれば、水槽ユニット５の拘束はより確実になされる。
【００３３】
上記実施の形態では、回転ドラム２を傾斜させて配置したドラム式洗濯機について説明したが、回転ドラム２を水平に配置したドラム式洗濯機においても同様に構成することができることは言うまでもない。
【産業上の利用可能性】
【００３４】
以上のように、本発明にかかるドラム式洗濯機は、回転ドラムを水槽内に収容した水槽ユニットを洗濯機筐体内に浮動支持したドラム式洗濯機を輸送など移動させる際に、筐体の変形や損傷が発生するのを確実に防止することができるとももに、洗濯機全体の質量を増やすことがなく、可搬性に優れたドラム式洗濯機が得られる。
【図面の簡単な説明】
【００３５】
【図１】本発明の実施の形態１におけるドラム式洗濯機の概略断面図
【図２】同ドラム式洗濯機の要部拡大断面図
【図３】同ドラム式洗濯機の要部正面図
【符号の説明】
【００３６】
１  ドラム式洗濯機
２  回転ドラム
３  水槽
５  水槽ユニット
６  洗濯機筐体
６ａ  基底部
７  ドラム駆動モータ
４０  背面下部金具
４１ｂ  規制部
５１  背面下部支持金具
５４  下部固定金具
６８  軸受
７３  支持台
７５  上部支持金具
８３  上部固定金具
【図１】
2006068054.tif 000003
【図２】
2006068054.tif 000004
【図３】
2006068054.tif 000005